(57)【要約】【課題】家庭用精米機において、ぬかが付着・堆積し易い部分の手入れが簡単に行えるようにすることである。【解決手段】精米室７のぬか排出口に対向したぬか受けカバー１３とそのぬか受けカバー１３に連通されたサイクロン１４を一体化してぬか捕集ユニット４２を構成し、そのぬか捕集ユニット４２をケーシング１の内部に設けたユニット収納部４４に着脱自在に取付けた構成とした。【選択図】　図３
2004008827.tif 000002
【特許請求の範囲】
【請求項１】
精米部のぬか排出口に対向して設けたぬか受けカバーでぬかを捕集し、そのぬかをサイクロンに導き、サイクロンにおいて空気とぬかを分離し、分離されたぬかをぬか受け容器に蓄積するとともに、空気をエアホースを通して吸気装置で吸引して外部に排出するようにした家庭用精米機のぬか捕集構造において、上記ぬか受けカバーを上記ぬか排出口に対し、また、上記サイクロンをエアホースとぬか受け容器に対し、それぞれ着脱自在に取付け、上記ぬか受けカバーとサイクロンを一体化してぬか捕集ユニットを構成し、上記ぬか捕集ユニットをケーシングの内部に設けたユニット収納部に着脱自在に取付けたことを特徴とする家庭用精米機のぬか捕集構造。
【請求項２】
上記ユニット収納部にケーシング前面から奥行き方向のガイド部、そのユニット収納部奥所に傾斜ガイド部、該ユニット収納部奥所に前記吸引装置に通じたホース継手をそれぞれ設け、上記ぬか捕集ユニットのサイクロンに上記ガイド部に対向した水平ガイド板と、上記ホース継手に着脱される排気筒、上記ぬか受けカバーの下面に上記傾斜ガイド部に対向した押し当て部、該ぬか受けカバーの前端に前記精米室の一部に係脱されるレバークリップをそれぞれ設け、上記ぬか捕集ユニットをその収納部に収納した際、その水平ガイド板を上記ガイド部により、その押し当て部を上記の傾斜ガイド部によりそれぞれガイドさせるとともに、上記ホース継手にサイクロンの排気筒を嵌合し、かつ、上記レバークリップを精米室の一部に係合するようにしたことを特徴とする請求項１に記載の家庭用精米機のぬか捕集構造。
【請求項３】
上記サイクロンの上端部にフィルターケースを着脱自在に被せ、そのフィルターケースに上記排気筒を設けたことを特徴とする請求項１又は２に記載の家庭用精米機のぬか捕集構造。
【請求項４】
上記サイクロンのつば部にガイド溝を設け、そのガイド溝に前記ぬか受け容器のつば部を着脱自在に嵌合したことを特徴とする請求項１から３のいずれかに記載の家庭用精米機のぬか捕集構造。
【発明の詳細な説明】
【０００１】
【発明の属する技術分野】
この発明は、家庭用精米機のぬか捕集構造に関するものである。
【０００２】
【従来の技術】
１回通し方式の家庭用精米機においては、精米部から排出されるぬかはその下方に設けられたぬか受け容器内に落下させる構造が一般に採られる（例えば、特開２０００−３１００９号公報参照）。また、循環方式の家庭用精米機に関し、精米部の下部に設けたぬか受けカバーでぬかを捕集するとともに、そのぬかをサイクロンに導き、そのサイクロンにおいて分離されたぬかを、ぬか受け容器に蓄積するとともに、空気をエアホースを通して吸気装置で吸引して外部に排出するようにしたぬか捕集構造について、当出願人らはすでに特許出願している（例えば、特願２００１−２６３８３１号）。
【０００３】
【発明が解決しようとする課題】
上記のような従来の家庭用精米機において、ぬかが通過する部分は、使用期間の経過とともに、ぬかが付着・堆積するため定期的な手入れが必要となる。しかるに、従来の家庭用精米機においては、精米部からぬか受け容器までの経路が、精米機内部に設けられるため、手入れの際はいくつかの部品を取外す必要があり、また、エア吸引によりぬかを捕集する構造のものでは、エアホースの着脱が必要となるなど、使用者が手入れするには複雑すぎる構造であった。
【０００４】
そこで、この発明は、家庭用精米機におけるぬか除去のための手入れが簡単に行えるぬか捕集構造を提供することを課題とする。
【０００５】
【課題を解決するための手段】
上記の課題を解決するために、この発明は、精米部のぬか排出口に対向して設けたぬか受けカバーでぬかを捕集し、そのぬかをサイクロンに導き、サイクロンにおいて空気とぬかを分離し、分離されたぬかをぬか受け容器に蓄積するとともに、空気をエアホースを通して吸気装置で吸引して外部に排出するようにした家庭用精米機のぬか捕集構造において、上記ぬか受けカバーを上記ぬか排出口に対し、また、上記サイクロンをエアホースとぬか受け容器に対し、それぞれ着脱自在に取付け、上記ぬか受けカバーとサイクロンを一体化してぬか捕集ユニットを構成し、上記ぬか捕集ユニットをケーシングの内部に設けたユニット収納部に着脱自在に取付けた構成を採用した。
【０００６】
上記の構成によると、各部品を個別に外すことなく、ぬか捕集ユニットを外すだけで、ぬか受けカバーとサイクロンを一体に取外すことができる。その上で、取外したぬか受けカバーとサイクロンの内部の手入れ、また、これらを外した後のユニット収納部の内部の手入れを行うことができる。
【０００７】
さらに、一層具体的な構造として、上記ユニット収納部にケーシング前面から奥行き方向のガイド部、そのユニット収納部奥所に傾斜ガイド部、該ユニット収納部奥所に前記吸引装置に通じたホース継手をそれぞれ設け、上記ぬか捕集ユニットのサイクロンに上記ガイド部に対向した水平ガイド板と、上記ホース継手に着脱される排気筒、上記ぬか受けカバーの下面に上記傾斜ガイド部に対向した押し当て部、該ぬか受けカバーの前端に前記精米室の一部に係脱されるレバークリップをそれぞれ設け、上記ぬか捕集ユニットをその収納部に収納した際、その水平ガイド板を上記ガイド部により、その押し当て部を上記の傾斜ガイド部によりそれぞれガイドさせるとともに、上記ホース継手にサイクロンの排気筒を嵌合し、かつ、上記レバークリップを精米室の一部に係合するようにした構成を採用することができる。
【０００８】
上記の構成によると、ぬか捕集ユニットを取外す際には、使用者がクリップレバーを操作してその係合を外し、該ユニットをケーシングの前方に引き抜くと、ぬか受けカバーがぬか排出口から外れるとともに、サイクロンの排気筒がホース継手から外れるので、該ユニットを外部に取り出すことができる。取付ける場合は、そのユニットのガイド板をユニット収納部のガイド部に沿わせて押し込み、その収納部の奥所でぬか受けカバー下面の押し当て部が傾斜ガイド部に当たることにより、ぬか受けカバーがぬか排出口に嵌合される。また、サイクロンの排気筒はホース継手に接続される。その後クリップレバーを操作して、ぬか捕集ユニットを精米室の一部に係合させる。
【０００９】
その他、上記サイクロンの上端部にフィルターケースを着脱自在に被せ、そのフィルターケースに上記排気筒を設けた構成や、上記サイクロンのつば部にガイド溝を設け、そのガイド溝に前記ぬか受け容器のつば部を着脱自在に嵌合した構成を採ることができる。
【００１０】
【発明の実施の形態】
以下、この発明の実施形態を添付図面に基づいて説明する。図１に示すように、実施形態の家庭用精米機は、正面から見た全体の形状が比較的幅の狭い扁平な形状をなすように形成された傾斜循環式精米機である。この精米機は、図２に示すように、ケーシング１の内部において、機台２上に一定の勾配をもって精米用モーター３が取付けられ、そのモーター軸に取付けられた精米ロール４もその勾配をもって斜め上方に延びている。ケーシング１の上部に上面開放のホッパー５が設けられ、その下端部の排出口６が精米室７の内部に連通される。ホッパー５には蓋８が設けられる。
【００１１】
精米室７は、ホッパー５の下部に沿って傾斜状態に設けられ、その上端の出口が縦向きの戻し通路９に開放される。戻し通路９の上端がホッパー５に開放される。これにより、図２に矢印で示すように、ホッパー５、排出口６、精米室７、戻し通路９及びホッパー５の順に米穀が循環する循環経路が構成される。
【００１２】
上記の排出口６の下方にシャッター（図示省略）を介して米ガイド部材１１が設けられ、その米ガイド部材１１が米受け容器１２上に開放される。
【００１３】
精米室７はその下部が長さ方向に開放されて、ぬか受けカバー１３を介してサイクロン１４に連通されている。サイクロン１４で分離されたぬかはその下方に設置されたぬか受け容器１５に排出され、空気はエアホース１６を経て吸引装置１７に吸引され、外部に排出される。
【００１４】
上記ケーシング１の前面上部に操作部１８が設けられ、その操作部１８の下部にケーシング１の一部をなす前蓋１９が着脱自在に設けられる。その前蓋１９の内方に前記のサイクロン１４が設置される。
【００１５】
サイクロン１４は、図６に示すように下端開放の外筒２１の上端壁中央部に内筒２２が設けられる。その外筒２１の一部に接線方向の吸気筒２３が設けられる。外筒２１の下端外周部につば部２４（図３参照）が設けられ、そのつば部２４の両側縁下部にコの字形のガイド溝２５、２５が設けられる。
【００１６】
上記のガイド溝２５，２５に、漏斗部材２６の上端のつば部２７と、その漏斗部材２６を開口端に嵌合したぬか受け容器１５の上端のつば部２８が、上下に重ねられて前後方向に抜き差し自在に嵌合される。また、上記のつば部２４の両側に水平ガイド板２９，２９が設けられる（図７参照）。漏斗部材２６は、サイクロン１４で分離され、ぬか受け容器１５内に沈降したぬかが、吹き上がるのを防止する作用をなすものであり、サイクロンの一部を構成するという見方もできるが、ここでいうサイクロン１４はこれを含まない。
【００１７】
上記外筒２１の上端には、エアフィルター３１を収納したフィルターケース３２がバヨネット継手３３によりキャップ状に着脱自在に被せられる。そのフィルターケース３２の天板にサイクロン１４の排気筒３４が設けられ、その排気筒３４の端部３５は後方に向けラッパ状に開放される（図７参照）。
【００１８】
なお、フィルターケース３２の前面にエアフィルター３１を出し入れするためにスリット３６が設けられ、そのスリット３６からエアフィルター３１の指掛け部３７（図３、図４参照）が突き出している。
【００１９】
上記のぬか受けカバー１３は、精米室７の下端に設けられた長方形のぬか排出口３８（図４参照）の下部に嵌合される。ぬか排出口３８上部の精米室７の内部には精米スクリーン３９が装着され、精米により発生したぬかがその精米スクリーン３９のスリットから出て、ぬか排出口３８を経てぬか受けカバー１３に捕集される。ぬか受けカバー１３はそのぬか排出口３８の開口に嵌合する長方形の開口部４１（図５参照）を有する漏斗状をなし、その底部に前記サイクロン１４の吸気筒２３が接続される。その接続により、サイクロン１４とぬか受けカバー１３とが一体化され、ぬか捕集ユニット４２が構成される。
【００２０】
なお、上記ぬか捕集ユニット４２を精米室７の下部に係合するためのレバークリップ４３が、ぬか受けカバー１３の開口部４１の前縁に設けられる。
【００２１】
上記のぬか捕集ユニット４２を出し入れ自在に収納するユニット収納部４４が、ケーシング１の前面に開放して設けられ、前述の前蓋１９により閉鎖される（図３参照）。そのユニット収納部４４の内部において、その下端部両内側面に前後方向のガイド部４５、４５が設けられ、また、そのユニット収納部４４の奥所中央部に三角形の板材で形成された傾斜ガイド部４６が設けられる。この傾斜ガイド部４６は、ガイド部４５の高さから後方に次第に高くなる傾斜辺により形成される。また、そのユニット収納部４４の奥所の１コーナ部にホース継手４７が固定される。このホース継手４７の後端に前記のエアホース１６が接続される。
【００２２】
上記のガイド部４５、４５は前記のぬか捕集ユニット４２の水平ガイド板２９、２９の下面を支持する位置に設けられる。また、傾斜ガイド部４６はぬか受けカバー１３の開口部４１の後端縁中央下部に設けた押し当て部４８（図４、図５参照）に対向する位置に設けられる。さらに、ホース継手４７は、前記の排気筒３４の端部３５に対向した位置に設けられる。
【００２３】
そこで、上記のぬか捕集ユニット４２をユニット収納部４４に差し込むと、その水平ガイド板２９，２９が、ガイド部４５、４５上に載ってガイドされ、最も奥に到達する寸前に、ぬか受けカバー１３の押し当て部４８が傾斜ガイド部４６に乗り上げ、開口部４１がぬか排出口３８に嵌合される。また、これと同時に、排気筒３４の端部３５がホース継手４７に挿入され、エアホース１６に接続される。このようにして、ぬか捕集ユニット４２のユニット収納部４４への収納を完了したのち、レバークリップ４３を精米室７の前端下部の係合部４９（図４参照）に係合させる。これにより、ぬか捕集ユニット４２を安定させる。
【００２４】
なお、漏斗部材２６を嵌合したぬか受け容器１５は、それらのつば部２７，２８がガイド溝２５，２５に嵌合され（図６参照）、所定位置まで押し込まれる。
【００２５】
実施形態の家庭用精米機は以上のように構成され、ホッパー５に玄米を投入して精米を開始すると、ホッパー５内の玄米は、前述の循環経路を経て循環しながら精米される。精米室７で発生するぬかは吸引装置１７により吸引され、精米室７下端のぬか排出口３８から落下してぬか受けカバー１３で捕集されてサイクロン１４に入る。サイクロン１４において空気とぬかが分離され、分離されたぬかは、漏斗部材２６を通ってぬか受け容器１５内に落下し堆積される。
【００２６】
精米が完了すると、精米用モーター３が停止されるとともに、シャッター（図示省略）が開放され、ホッパー５内の精米済みの米穀が米ガイド部材１１を経て米受け容器１２に排出される。その排出後、漏斗部材２６とともにぬか受け容器１５、米受け容器１２の順に取り出し、ぬか及び精米済み米穀を別容器に移す。
【００２７】
手入れの際は、前蓋１９を外したうえで、ぬか捕集ユニット４２のレバークリップ４３を外し、該ユニット４２の全体を前方に引き出す。そうすると、ぬか受けカバー１３がぬか排出口３８から外れるとともに、排気筒３４もホース継手４７から外れるため、該ユニット４２を外部に取り出すことができる（図４の二点鎖線参照）。外部においてサイクロン１４の内部、ぬか受けカバー１３、フィルターケース３２等の内部を手入れすることができる。また、ユニット収納部４４の内部の手入れも行うことができる。
【００２８】
手入れ完了後は、逆の手順でぬか捕集ユニット４２をユニット収納部４４に取付ける。
【００２９】
【発明の効果】
以上のように、この発明は、家庭用精米機においてぬかが付着・堆積しやすい部分をユニット化し、簡易に着脱できるようにしたので、内部に付着・堆積したぬかを除去する等の手入れを容易に行うことができる。
【図面の簡単な説明】
【図１】実施形態の斜視図
【図２】同上の断面図
【図３】同上の一部分解斜視図
【図４】同上の一部断面図
【図５】同上の一部横断平面図
【図６】同上のサイクロン部分の断面図
【図７】同上のサイクロン部分の分解斜視図
【符号の説明】
１　ケーシング
２　機台
３　精米用モーター
４　精米ロール
５　ホッパー
６　排出口
７　精米室
８　蓋
９　戻し通路
１１　米ガイド部材
１２　米受け容器
１３　ぬか受けカバー
１４　サイクロン
１５　ぬか受け容器
１６　エアホース
１７　吸引装置
１８　操作部
１９　前蓋
２１　外筒
２２　内筒
２３　吸気筒
２４　つば部
２５　ガイド溝
２６　漏斗部材
２７　つば部
２８　つば部
２９　水平ガイド板
３１　エアフィルター
３２　フィルターケース
３３　バヨネット継手
３４　排気筒
３５　端部
３６　スリット
３７　指掛け部
３８　ぬか排出口
３９　精米スクリーン
４１　開口部
４２　ぬか捕集ユニット
４３　レバークリップ
４４　ユニット収納部
４５　ガイド部
４６　傾斜ガイド部
４７　ホース継手
４８　押し当て部
４９　係合部
【図１】
2004008827.tif 000003
【図２】
2004008827.tif 000004
【図３】
2004008827.tif 000005
【図４】
2004008827.tif 000006
【図５】
2004008827.tif 000007
【図６】
2004008827.tif 000008
【図７】
2004008827.tif 000009